(57)【特許請求の範囲】
【請求項１】
多数のパネルをジョイントバーを用いて連結することにより全面に亘る桝目状，外囲いの桝目状等少くとも外周に桝目を連続囲繞状に配置して所定の平面桝目形状に組立形成した植栽用盛土の土留め用のパネルフレームであって，上記多数のパネルを単一又は複数種の寸法規格による平板状とし，これらパネルの上記ジョイントバーによる連結を各パネルの両側端とジョイントバーの外周４面とにそれぞれ共通に配設し相互にスライド嵌合自在の雄雌各嵌合連結部によるスライド嵌合手段によってパネル幅方向及び交差方向に自在とする一方，上記パネルとともにその化粧用にして上記パネルの嵌合連結部と共通の嵌合連結部を両側端背面側に配設して上記ジョイントバーの嵌合連結部との間でスライド自在のスライド嵌合手段を備えた化粧パネルを用い，そのスライド嵌合手段によって正面等の所定パネルを化粧被覆してなることを特徴とする花壇形成用土留めパネルフレーム。
【請求項２】
上記ジョイントバーを，選択使用自在の異長複数とし，上記パネルフレームを花壇の奥行方向に段状に形成自在としてなることを特徴とする請求項１に記載の花壇形成用土留めパネルフレーム。
【請求項３】
上記多数のパネルの単一又は複数の寸法規格における横幅を，パネルのジョイントバーによる連結状態でジョイントバーの芯々で２２５mmの倍数をなす寸法に設定してなることを特徴とする請求項１又は２に記載の花壇形成用土留めパネルフレーム。
【請求項４】
上記化粧パネルが，両側端にそれぞれ背面側内方に４５°の角度に傾斜した留めの突合せ端面を備えてなることを特徴とする請求項１，２又は３に記載の花壇形成用土留めパネルフレーム。
【発明の詳細な説明】
【０００１】
【発明の属する技術分野】
本発明は，地表，デッキ，ベランダ，玄関ホール等屋外又は屋内に花壇を設置するに用いる花壇形成用土留めパネルフレームに関する。
【０００２】
【発明が解決しようとする課題】
樹木，草花等を植栽して緑化や美感の向上，美感ポイントの設置のために用いられる花壇は，造園業者の土木工事によって形成したり，或いは簡易のものは，例えばレンガ等の縁石を配置して盛土を施すことによって形成したりするものとされるが，前者は工事が大掛りとなり，工期を必要として煩雑であるし，後者は盛土の荷重に充分に耐え難く，土留め効果を得られず，経時的に崩れを招く上，一般に花壇のデザインが単調なものとなり易い。
【０００３】
本発明はかかる事情に鑑みてなされたもので，その解決課題とする処は，大型のものを含めて，簡易且つ確実に形成し得るとともに土留め効果が高く花壇の強度と耐久性を確保し併せてそのデザインの多様化に適するとともに花壇の正面等必要な部分に化粧を施して，花壇の設置美観を確保した花壇形成用土留めパネルフレームを提供するにある。
【０００４】
【課題を解決するための手段】
上記課題に添って本発明は，パネル及び化粧パネルとジョイントバーを組合せ使用し，地表，デッキ，ベランダ，玄関ホール等に据置設置することによって，盛土を施す花壇のパネルフレームを簡易且つ確実に設置外観を確保して形成し得るようにし，このときパネルフレームを，少なくとも花壇の外周に桝目を連続囲繞状に配置することにより，これら連続一体の桝目とこれらに充填される盛土によって剛性の高い土留め壁を形成して，その土留め作用を確保するものとし，またパネルとジョイントバーの組合せ使用により，花壇の平面形状を多様化し得るようにする一方，正面等の必要な部分のパネルを化粧パネルによって化粧被覆したものであって，即ち請求項１に記載の発明を，多数のパネルをジョイントバーを用いて連結することにより全面に亘る桝目状，外囲いの桝目状等少くとも外周に桝目を連続囲繞状に配置して所定の平面桝目形状に組立形成した植栽用盛土の土留め用のパネルフレームであって，上記多数のパネルを単一又は複数種の寸法規格による平板状とし，これらパネルの上記ジョイントバーによる連結を各パネルの両側端とジョイントバーの外周４面とにそれぞれ共通に配設し相互にスライド嵌合自在の雄雌各嵌合連結部によるスライド嵌合手段によってパネル幅方向及び交差方向に自在とする一方，上記パネルとともにその化粧用にして上記パネルの嵌合連結部と共通の嵌合連結部を両側端背面側に配設して上記ジョイントバーの嵌合連結部との間でスライド自在のスライド嵌合手段を備えた化粧パネルを用い，そのスライド嵌合手段によって正面等の所定パネルを化粧被覆してなることを特徴とする花壇形成用土留めパネルフレームとし，請求項２に記載の発明は，上記に加えて，花壇をその奥行方向に段状をなすものとすることにより，立体的なデザインを可能とし，そのデザインの多様化を更に向上し得るように，これを，上記ジョイントバーを，選択使用自在の異長複数とし，上記パネルフレームを花壇の奥行方向に段状に形成自在としてなることを特徴とする請求項１に記載の花壇形成用土留めパネルフレームとし，請求項３に記載の発明は，同じく上記に加えて，例えばデッキ，ベランダ，玄関ホール等の構築物，建築物に花壇を形成するについて，これらの基準とする寸法に適合して，花壇設置の納まりを好適に確保し，花壇の設置美観を向上し得るように，これを，上記多数のパネルの単一又は複数の寸法規格における横幅を，パネルのジョイントバーによる連結状態でジョイントバーの芯々で２２５mmの倍数をなす寸法に設定してなることを特徴とする請求項１又は２に記載の花壇形成用土留めパネルフレームとし，請求項４に記載の発明は，同じく上記に加えて，上記化粧パネルを，例えば正面の１面にあっても，正面と側面の２面に亘っても，コーナーを含めて常に化粧パネルを隙間を生じることなく連続して外観よく装着設置し得るように，これを，上記化粧パネルが，両側端にそれぞれ背面側内方に４５°の角度に傾斜した留めの突合せ端面を備えてなることを特徴とする請求項１，２又は３に記載の花壇形成用土留めパネルフレームとし，これらをそれぞれ発明の要旨として上記課題解決の手段としたものである。
【０００５】
【発明の実施の形態】
以下図面に従って本発明を更に具体的に説明すれば，図１乃至図１０においてＡは花壇，Ｂはその土留めパネルフレームであり，該土留めパネルフレームＢは，多数のパネル１をジョイントバー６を用いて連結することにより全面に亘る桝目状にして，外周に桝目を連続囲繞状に配置して所定の平面桝目形状に組立形成する植栽用盛土の土留め用のものとしてあり，本例にあって該土留めパネルフレームＢは，例えば地表１０とデッキ１１に亘るようにし，花壇Ａの奥行方向に段状をなすものとしてある。
【０００６】
該パネルフレームＢにおける上記多数のパネル１は，これを複数種の寸法規格による平板状とし，これらパネル１の上記ジョイントバー６による連結は，これを各パネル１の両側端とジョイントバー６の外周４面とにそれぞれ共通に配設し相互にスライド嵌合自在の雄雌各嵌合連結部４，７によるスライド嵌合手段によってパネル幅方向及び交差方向に自在としたものとしてあり，このとき本例の上記ジョイントバー６は，これを選択使用自在の異長複数とし，上記パネルフレームＢを花壇Ａの奥行方向に段状に形成自在としてなるものとしてある。
【０００７】
即ち本例にあってパネル１は，例えば塩ビ等の合成樹脂製にして，それ自体の面強度を有するように，例えば１０mm厚の厚肉の平板状矩形及び方形のものを用いてあり，このとき寸法規格は，それぞれ同一厚さにして，横幅を，パネル１のジョイントバー６による連結状態でジョイントバー６の芯々で２２５mmの倍数をなす寸法に設定したものとし，また高さを１２５mmの倍数をなす寸法に設定したものとしてあり，本例の寸法規格は，これに基づき，横幅を２２５mmの１倍と２倍に，高さも１２５mmの１倍と２倍に設定し，例えばそれぞれ高さと横幅（ジョイントバー６の芯々寸法）を，１２５×２２５mm，１２５×４５０mm，２５０×２２５mm，２５０×４５０mmとする上記１０mmの同一厚さの４種類のパネル１を用いるようにしてあり，このときパネル１の横幅実寸は，後述のジョイント手段を用いることにより，その中心までの１２mmの寸法を両側で合計した２４mmを差引いた数値，即ち２０１mm，４２６mmを基準寸法としたものとしてあり，一方本例のジョイントバー６は，上記パネル１の高さに応じて上記１２５mmと，その２倍の２５０mm，３倍の３７５mm及び４倍の５００mmの，上記パネル１の最小高さの例えば１倍，２倍，３倍，４倍の倍数をなす寸法に設定した，複数，特に４種類の寸法規格によるものとし，このうち短尺の長さの１２５mmを，上記最小高さ１２５mmのパネル１の連結用とし，中間の２５０mmを，該最小高さのパネル１の段積み連結用と最長高さの２５０mmのパネル１の連結用の双方を選択的に使用し得るようにし，また同じく中間の３７５mmと長尺の５００mmを，最小高さ及び／又は最高高さのパネル１の各段積み連結用としたものとしてある。
【０００８】
スライド嵌合手段をなす相互にスライド嵌合自在の嵌合連結部４，７は，例えば一方を雄型の嵌合突条とし，他方を該嵌合突条に応じた雌型の嵌合溝条とすることによって，雄雌嵌合自在，特に上下方向に落し込み連結自在のスライド嵌合自在のものとしてあり，本例にあってパネル１側の嵌合連結部４は，上記嵌合突条，特に先端を膨出した嵌合突条とし，ジョイントバー６側の嵌合連結部７を，これを受入れ嵌合する上記嵌合溝条，特に一側開口凹陥状にして円形の嵌合溝条としてあり，このとき本例にあって上記パネル１側の嵌合連結部４は，パネル１に対して後付け状に固定した別部材の連結部材２を用いて，該連結部材２を上記嵌合連結部４が突出するようにパネル１の両側端，特に両側の側端面に固定したものとし，これにより上記パネル１を合成樹脂板を切断して板取り形成し，例えば嵌合連結部４を一体形成するために，パネル１を射出成型したりすることによるコストアップ等を解消したものとしてある。
【０００９】
本例において用いた上記連結部材２及びジョイントバー６は，同じく塩ビ等の合成樹脂製にして，押出し成型等成型手段によって成型したバー材として形成してあり，上記連結部材２は，パネル１端面に応じた幅のべース３と，正面側に上記嵌合突条による嵌合連結部４を，背面側にパネル１に加工形成した溝状や矢尻状等のスリット溝に係止する矢尻状のパネル取付部５を一体に備えた単一種のものとする一方，ジョイントバー６は方形状断面を呈するとともにその外周４面の中央位置にそれぞれ上記嵌合溝条による嵌合連結部７を一体に備えた単一種のものとしてあり，上記単一種の連結部材２をパネル１の両側端に固定することにより，上記パネル１の両側端に嵌合連結部４を共通とし，上記単一種のジョイントバー６の長さを変えることにより，これを上記異長複数，特に異長３種となるようにしてある。
【００１０】
従ってパネル１は，その両側端のいずれも，その嵌合連結部４がジョイントバー６の嵌合連結部７にスライド嵌合自在となり，該ジョイントバー６をパネル１間に介設することによって，パネル１はその幅方向及び交差方向に垂直に立設した状態でそれぞれ連結自在となり，これにより，パネル１は，上記全面に亘る桝目状の桝目形状に連結組立が可能となる一方，上記段状とする部分において上下方向への段積みとその幅方向や交差方向への連結が自在となって，上記パネルフレームＢを形成するものとしてある。
【００１１】
図中８は，上記パネル１とともにその化粧用に用いた化粧パネルであり，該化粧パネル８は，パネル１の嵌合連結部４と共通の嵌合連結部４を両側端背面側に配設して上記ジョイントバー６の嵌合連結部４との間でスライド自在のスライド嵌合手段を備えたものとしてあり，本例にあってこの化粧パネル８は，両側端にそれぞれ背面側内方に４５°の角度に傾斜した留めの突合せ端面９を備えたものとしてある。
【００１２】
即ち本例にあって化粧パネル８は，花壇Ａの化粧パネルとして好適なように，木目調を有する，例えば厚肉ムク板による木板を用いて，本例において幅方向にパネル１の単一及び／又は複数枚を化粧するようにカバーするものとし，両側端を留め加工することにより，該両側端に上記留めの突合せ端面を形成したものとする一方，該両側端の留め突合せ端面の近接位置にそれぞれ上記パネル１と共通の嵌合連結部４を形成して，上記パネル１を連結したジョイントバー６の残余にして前面側の嵌合連結部７にスライド嵌合することによって，同様にジョイントバー６にそのスライド嵌合手段によって正面の所定パネル１を化粧被覆することによりその設置固定を行ってあり，このとき上記パネル１の複数枚を化粧する化粧パネル８は，更にその幅方向背面中間のジョイントバー６位置に合わせて，共通の嵌合連結部４を形成したものとしてある。
【００１３】
本例の化粧パネル８において嵌合連結部４は，上記と同様に連結部材２を用いて，これを化粧パネル８に固定したものとしてあり，このとき該連結部材２は，上記嵌合突条の嵌合連結部４のみを背面に突出し，化粧パネル８装着時にパネル１との間に隙間を生じないように，上記パネル１の連結部材２におけるべース３を除去した以外，これと同じように合成樹脂で成型したものとしてある。
【００１４】
このように形成した本例のパネル１，ジョイントバー６及び化粧パネル８を用いた花壇Ａの形成は，該花壇Ａの形成場所の，本例において図１に示すように地表１０とデッキ１１上に直接に又は，例えば防水シート１３の敷設等必要に応じた防水措置を施した後，パネルフレームＢを据置設置するように，上記４種類のパネル１と４種類のジョイントバー６を用いて，順次パネル１又はジョイントバー６を落し込み状にして，パネル１を幅方向，交差方向に連結し，またこの連結を最小高さのパネル１を段積み連結し又は最高高さのパネル１を用い，或いはこれらを段積み連結して，奥行方向に段状，例えば２段の段状又は３段の階段状に立体的に行うようにして上記パネルフレームＢを組立形成し，また化粧パネル８をジョイントバー６に連結して，必要なパネル１を化粧被覆し，然る後土壌１８，例えば人工土壌を用いてパネルフレームＢの桝目にこれを充填するように，これに盛土を施し，樹木や草花を植栽するようにすればよく，これによって簡易且つ確実に平面矩形にして全面に亘る桝目状の花壇Ａを形成するとともに，その全面に亘って連続一体の桝目とこれに充填した土壌によって剛体の土留め壁が全面に形成され，これらがそれぞれ土留め作用を果して，花壇Ａの土壌１８荷重を支えて，花壇Ａを強度と耐久性に優れて，崩れ等の可能性を解消するものとして，花壇Ａを形成設置することができる。
【００１５】
図１１乃び図１２は，花壇Ａにおけるパネルフレ−ムＢの他の例を示したもので，本例にあってパネルフレ−ムＢは，上記オパネル１中の５種類を用いて，中央に幅広の盛土用のスペ−スを配置するように外囲いの桝目状に同様にパネル１を配置した以外上記と同様に形成した例であり，このとき本例のパネルフレ−ムＢは，一側の幅方向に多段の段差状とするとともに奥行方向に２段の階段状に立体的とし，平面に据置設置するものとして，同様に組立形成してあり，これによって，上記幅広の盛土用のスペ−スと外囲い状の桝目に土壌を充填することにより同じく剛体の土留め壁が外囲い状に形成され，同様に花壇Ａを強度と耐久性に優れて，崩れ等の可能性を解消するものとして形成設置することができる。
【００１６】
なお図中１２は，本例において花壇Ａを形成したデッキ１１のデッキ材，１４は，本例において樹木，草花の植栽のために底部に敷設するように用いた，成型べース部材１５と，その凹陥部に充填した，パーライト等の保水性の発泡粒１６と，表面の不織布等の透水性フィルター１７とを備えた人工植栽床を示す。
【００１７】
図示した例は以上のとおりとしたが，上記パネルフレームの形成は，少くとも外周に桝目を連続囲繞状に配置したものとすれば，盛土に対する土留め作用を果すことになるので，上記全面に亘る桝目状，外囲いの桝目状の他，必要に応じて外囲いの桝目状のものの内部に単一又は桝目の補強壁を形成したものとして組立形成するようにすること，パネルフレームを単一の寸法規格によるパネルを用いて，同一高さのものとし，又はこのときジョイントバーを複数種用いて，段状，更には階段状の立体のものとすること，スライド嵌合手段の嵌合連結部を上記と逆に，パネル側において嵌合溝条，ジョイントバー側で嵌合突条として相互にスライド嵌合自在のものとすること，例えば段差部に添って花壇を形成するとき上段用，下段用にそれぞれ組立形成した複数のパネルフレームを突合せ使用して単一の花壇を形成するように用いること，ジョイントバーの寸法規格を単一又は複数とし，またこれを上下に連結可能に構成し，ジョイントバーの種類を減少するようにすること，パネルフレームのＬ字，Ｔ字，十字等の連結部分に，パネル同士を固定してパネルの抜止めをなすＬ字，Ｔ字又は十字等のプレートを必要に応じて用い，該プレートをパネル上面に例えばネジ止めするようにすること等を含めて，パネルフレーム，パネル，ジョイントバー，スライド嵌合手段，化粧パネル等の各具体的材質，形状，構造，これらの関係，これらに対する付加等は，上記各発明の要旨に反しない限り，様々な形態のものとすることができ，上記例に示したものに殊更限定する必要はない。
【００１８】
【発明の効果】
本発明は以上のとおりに構成したから，請求項１に記載の発明は，大型のものを含めて，パネルとジョイントバーを順次に落し込み状とすることによって，花壇のパネルフレームを，花壇形成場所に据置設置するように簡易且つ確実に形成し得る一方，パネルフレームを，少なくとも花壇の外周に桝目を連続囲繞状に配置することにより，これら連続一体の桝目とこれらに充填される盛土によって剛性の高い土留め壁を形成して，その土留め作用を確保して花壇の強度と耐久性を確保し，またパネルとジョイントバーの組合せ使用により花壇の平面形状を適宜なものとして，デザインの多様化に適するとともに上記パネルに加えて用いた化粧パネルによって花壇の正面等必要な部分に化粧を施して，花壇の設置美観を確保した花壇形成用土留めパネルフレームを提供することができる。
【００１９】
請求項２に記載の発明は，上記に加えて，花壇をその奥行方向に段状をなすものとすることにより，立体的なデザインを可能とし，そのデザインの多様化を更に向上し得るようにしたものとすることができる。
【００２０】
請求項３に記載の発明は，同じく上記に加えて，例えばデッキ，ベランダ，玄関ホール等の構築物，建築物に花壇を形成するについて，例えばベランダに花壇を形成するときに，ベランダの奥行方向に空隙が形成されたりすることなく，奥行方向に丁度納まるように，これらの基準とする寸法（旧尺貫法）に適合して，花壇設置の納まりを好適に確保し，花壇の設置美観を向上したものとすることができる。
【００２１】
請求項４に記載の発明は，同じく上記に加えて，化粧パネルを，例えば正面の１面にあっても，正面と側面の２面に亘っても，コーナーを含めて常に隙間を生じることなく連続して外観よく装着設置し得るようにしたものとすることができる。
【図面の簡単な説明】
【図１】  花壇の斜視図である。
【図２】  図１の花壇用パネルフレームの斜視図である。
【図３】  パネルフレ−ムのパネル配置状態を示す，ジョイントバ−等の表示を省略した平面図である。
【図４】  パネルフレ−ムのパネル配置状態を示す，ジョイントバ−等の表示を省略した正面図である。
【図５】  パネルフレームの部分拡大縦断面図である。
【図６】  パネルフレームの部分拡大平面図である。
【図７】  パネルとジョイントバーの関係を示す拡大平面図である。
【図８】  ジョイントバーの平面図である。
【図９】  連結部材の平面図である。
【図１０】  パネルを段積みした状態の縦断面図である。
【図１１】  パネルフレ−ムの他の例におけるパネル配置状態を示す，ジョイントバ−等の表示を省略した平面図である。
【図１２】  図１１のパネルフレ−ムのパネル配置状態を示す，ジョイントバ−等の表示を省略した正面図である。
【符号の説明】
Ａ  花壇
Ｂ  パネルフレーム
１  パネル
４  嵌合連結部
６  ジョイントバー
７  嵌合連結部
８  化粧パネル
９  突合せ端面
１８  土壌
【図１】
0003762088.tif 000002
【図２】
0003762088.tif 000003
【図３】
0003762088.tif 000004
【図４】
0003762088.tif 000005
【図５】
0003762088.tif 000006
【図６】
0003762088.tif 000007
【図７】
0003762088.tif 000008
【図８】
0003762088.tif 000009
【図９】
0003762088.tif 000010
【図１０】
0003762088.tif 000011
【図１１】
0003762088.tif 000012
【図１２】
0003762088.tif 000013